(57)【要約】【課題】  Ｘ線照射によって取得したＸ線画像データを無線通信路を介して確実かつ高速に転送すること。【解決手段】  制御装置は、Ｘ線発生手段と、Ｘ線発生手段から照射されたＸ線を検出してＸ線画像データを生成し、無線通信によりそのＸ線画像データを送信するＸ線センサと通信を行う通信手段とを備えるＸ線撮影システムにおける制御装置であり、通信手段とＸ線センサの少なくとも１つにおける、他のＸ線撮影システムの通信手段又はＸ線センサから送信された信号の測定結果に基づいて、他のＸ線撮影システムの無線通信が、Ｘ線撮影システムの無線通信に干渉するかを判定し、他のＸ線撮影システムの無線通信がＸ線撮影システムの無線通信に干渉すると判定された場合、Ｘ線発生手段にＸ線を照射させる際に、他のＸ線撮影システムにおけるＸ線の照射を停止させる制御信号を、他のＸ線撮影システムの制御装置へ送信する。【選択図】  図８
2013192653.tif 000002
【特許請求の範囲】
【請求項１】
Ｘ線発生手段と、前記Ｘ線発生手段から照射されたＸ線を検出してＸ線画像データを生成し、無線通信により当該Ｘ線画像データを送信するＸ線センサと通信を行う通信手段とを備えるＸ線撮影システムにおける制御装置であって、
前記通信手段と前記Ｘ線センサの少なくとも１つにおける、他のＸ線撮影システムの通信手段又はＸ線センサから送信された信号の測定結果に基づいて、当該他のＸ線撮影システムの無線通信が、前記Ｘ線撮影システムの無線通信に干渉するかを判定する判定手段と、
前記他のＸ線撮影システムの無線通信が前記Ｘ線撮影システムの無線通信に干渉すると判定された場合、前記Ｘ線発生手段にＸ線を照射させる際に、前記他のＸ線撮影システムにおけるＸ線の照射を停止させる制御信号を、当該他のＸ線撮影システムの制御装置へ送信する送信手段と、
を有することを特徴とする制御装置。
【請求項２】
前記Ｘ線撮影システムの無線通信に干渉すると判定された無線通信を伴う前記他のＸ線撮影システムが稼働中であるかを確認する確認手段をさらに有し、
前記送信手段は、前記Ｘ線撮影システムの無線通信に干渉すると判定された無線通信を伴い、かつ稼働中の前記他のＸ線撮影システムが存在する場合、前記Ｘ線発生手段にＸ線を照射させる際に、前記他のＸ線撮影システムのＸ線発生手段からのＸ線の照射を停止させる制御信号を、当該他のＸ線撮影システムへ送信する、
ことを特徴とする請求項１に記載の制御装置。
【請求項３】
前記確認手段は、前記制御装置と前記他のＸ線撮影システムの制御装置との間を接続する有線通信により、前記他のＸ線撮影システムに問い合わせることにより、稼働中であるかを確認する、
ことを特徴とする、請求項２に記載の制御装置。
【請求項４】
前記送信手段は、前記制御装置と前記他のＸ線撮影システムの制御装置との間を接続する有線通信により、前記他のＸ線撮影システムの制御装置へ前記制御信号を送信する、
ことを特徴とする請求項１から３のいずれか１項に記載の制御装置。
【請求項５】
前記制御装置は、前記送信手段が前記制御信号を送信した後に、前記Ｘ線発生手段にＸ線の照射を実行させる、
ことを特徴とする請求項１から４のいずれか１項に記載の制御装置。
【請求項６】
前記判定手段は、前記制御装置と前記他のＸ線撮影システムの制御装置との間を接続する有線通信を介して他のＸ線撮影システムを識別する情報と当該他のＸ線撮影システムの無線通信または有線通信に関する情報との少なくともいずれかを取得し、当該取得した情報と、前記測定結果とに基づいて、当該他のＸ線撮影システムの無線通信が前記Ｘ線撮影システムの無線通信に干渉するかを判定する、
ことを特徴とする請求項１から５のいずれか１項に記載の制御装置。
【請求項７】
前記制御信号は、前記Ｘ線撮影システムにおける前記無線通信で用いる周波数帯域およびチャネル番号の情報が含まれる、
ことを特徴とする請求項１から６のいずれか１項に記載の制御装置。
【請求項８】
前記制御信号は、前記他のＸ線撮影システムに向けてユニキャストされる、
ことを特徴とする請求項１から７のいずれか１項に記載の制御装置。
【請求項９】
前記制御信号は、複数の他のＸ線撮影システムに向けて、ブロードキャストされる、
ことを特徴とする請求項１から７のいずれか１項に記載の制御装置。
【請求項１０】
前記送信手段は、前記Ｘ線画像データが前記通信手段により受信された後、前記他のＸ線撮影システムの制御装置へ、Ｘ線の照射の停止を解除する制御信号を送信する、
ことを特徴とする請求項１から９のいずれか１項に記載の制御装置。
【請求項１１】
Ｘ線発生手段と、前記Ｘ線発生手段から照射されたＸ線を検出してＸ線画像データを生成し、無線通信により当該Ｘ線画像データを送信するＸ線センサと通信を行う通信手段とを備えるＸ線撮影システムにおける制御装置であって、
他のＸ線撮影システムの制御装置から制御信号を受信する受信手段と、
前記制御信号に応じて前記Ｘ線発生手段を制御する制御手段と、
を有し、
前記制御信号は、Ｘ線の照射の停止の指示と、前記停止の条件となる無線通信の周波数帯域およびチャネル番号の少なくともいずれかの情報とを含み、
前記制御手段は、前記Ｘ線撮影システムの前記無線通信の周波数帯域またはチャネル番号が、前記制御信号に含まれる前記停止の条件となる周波数帯域またはチャネル番号に含まれる場合、Ｘ線の照射を停止するように前記Ｘ線発生手段を制御する、
ことを特徴とする制御装置。
【請求項１２】
Ｘ線発生手段と、前記Ｘ線発生手段から照射されたＸ線を検出してＸ線画像データを生成し、無線通信により当該Ｘ線画像データを送信するＸ線センサと通信を行う通信手段とを備えるＸ線撮影システムにおける制御装置の制御方法であって、
判定手段が、前記通信手段と前記Ｘ線センサの少なくとも１つにおける、他のＸ線撮影システムの通信手段又はＸ線センサから送信された信号の測定結果に基づいて、当該他のＸ線撮影システムの無線通信が、前記Ｘ線撮影システムの無線通信に干渉するかを判定する判定工程と、
送信手段が、前記他のＸ線撮影システムの無線通信が前記Ｘ線撮影システムの無線通信に干渉すると判定された場合、前記Ｘ線発生手段にＸ線を照射させる際に、前記他のＸ線撮影システムにおけるＸ線の照射を停止させる制御信号を、当該他のＸ線撮影システムの制御装置へ送信する送信工程と、
を有することを特徴とする制御方法。
【請求項１３】
Ｘ線発生手段と、前記Ｘ線発生手段から照射されたＸ線を検出してＸ線画像データを生成し、無線通信により当該Ｘ線画像データを送信するＸ線センサと通信を行う通信手段とを備えるＸ線撮影システムにおける制御装置の制御方法であって、
受信手段が、他のＸ線撮影システムの制御装置から制御信号を受信する受信工程と、
制御手段が、前記制御信号に応じて前記Ｘ線発生手段を制御する制御工程と、
を有し、
前記制御信号は、Ｘ線の照射の停止の指示と、前記停止の条件となる無線通信の周波数帯域およびチャネル番号の少なくともいずれかの情報とを含み、
前記制御工程では、前記Ｘ線撮影システムの前記無線通信の周波数帯域またはチャネル番号が、前記制御信号に含まれる前記停止の条件となる周波数帯域またはチャネル番号に含まれる場合、Ｘ線の照射を停止するように前記Ｘ線発生手段を制御する、
ことを特徴とする制御方法。
【請求項１４】
コンピュータを請求項１から１１のいずれか１項に記載の制御装置が備える各手段として機能させるためのプログラム。
【発明の詳細な説明】
【技術分野】
【０００１】
本発明は、Ｘ線撮影を実行し、撮影された画像を無線通信により送受信する技術に関する。
【背景技術】
【０００２】
Ｘ線撮影システムにおいて、撮影したＸ線画像データを、無線ＬＡＮを用いて送信する技術が存在する。図１に、そのようなＸ線撮影システムの構成例を示す。制御装置１０１は、表示装置１０６と高圧発生装置１０４とアクセスポイント（ＡＰ）１０３とに接続して各装置の制御を行う。ＡＰは無線ＬＡＮにおける基地局となるアクセスポイントを示している。高圧発生装置１０４は、Ｘ線を発生するＸ線発生器１０５を駆動する機能を有する。Ｘ線センサ１０２は、無線ＬＡＮの端末（ＳＴＡ）として動作し、ＡＰ１０３と無線接続を行ってＸ線画像データの転送を行う。
【０００３】
Ｘ線撮影は、制御装置１０１の制御でＸ線発生器１０５からＸ線を照射して行われる。Ｘ線センサ１０２は、照射されたＸ線を受信してＸ線画像データに変換した後、無線ＬＡＮを用い、ＡＰ１０３を経由して、そのＸ線画像データを制御装置１０１に送信する。制御装置１０１は、送られてきたＸ線画像データに基づくＸ線画像を生成し、表示装置１０６に表示する。
【０００４】
このとき、例えば、複数のＸ線撮影システムが周囲に存在する場合には、無線通信路において電波干渉が発生する場合がある。例えば、図２に示すように、図１のＸ線撮影システムが隣接して複数設置される場合を考える。図２は、第１のＸ線撮影システム２０２と第２のＸ線撮影システム２０３として、図１のＸ線撮影システムを用い、それぞれの制御装置２０８及び２０９を基幹ネットワーク２０１で接続したものである。なお、制御装置２０８及び２０９は図１の制御装置１０１に、Ｘ線センサ２０４及び２０５は図１のＸ線センサ１０２に、そして、ＡＰ２０６及び２０７は図１のＡＰ１０３に、それぞれ対応する。
【０００５】
このような状況では、第２のＸ線撮影システム２０３のＸ線センサ２０４またはＡＰ２０６から送信された電波が、第１のＸ線撮影システム２０２のＸ線センサ２０５またはＡＰ２０７において、一定レベル以上で受信される場合がある。同様に、第１のＸ線撮影システム２０２のＸ線センサ２０５またはＡＰ２０７から送信された電波が、第２のＸ線撮影システム２０３のＸ線センサ２０４またはＡＰ２０６において、一定レベル以上で受信される場合がある。したがって、これらの装置が同時に同一チャネルで信号を送信すると、干渉が発生する場合がある。
【０００６】
電波干渉が発生すると、低い信号対干渉電力比でも通信を可能とするべく、伝送レートの低い通信方式が選択される場合があり、その場合、Ｘ線画像データの転送時間が長くなる。また、電波干渉の度合いによっては、通信そのものができなくなり、Ｘ線画像データの転送ができなくなる場合もある。
【０００７】
また、図２のようなシステムでは、キャリアセンスを行うことにより、他のシステムにおける通信を検知して、一時的にＸ線画像データの送信を停止し、送信待ちを行う場合がある。この場合、この送信待ちが発生した時間分だけ転送時間が長くなる。
【０００８】
これに対して、特許文献１には、無線ＬＡＮを使用する通信システム間で電波干渉を防ぐ方法について記載されている。特許文献１には、同じ周波数帯の無線チャネルを用いて、かつ隣接するアクセスポイントに対して通信時間の調停を行い、電波の混信による通信品質の劣化を防ぐ方法が記載されている。特許文献１に記載の技術では、アクセスポイント調停装置によって、各ＡＰに対して通信可能な時間を割り当て、１つのＡＰに通信の許可を与える期間には、他のＡＰの通信を待機させる、といった制御を行う。
【先行技術文献】
【特許文献】
【０００９】
【特許文献１】特開２００４−０４８３５６号公報
【発明の概要】
【発明が解決しようとする課題】
【００１０】
Ｘ線撮影システムにおいては、ＡＰ１０３とＸ線センサ１０２との間で送受信されるデータは、通信制御用及びアプリケーション制御用のコマンド信号の送受信と、Ｘ線画像データとの２つに大きく分類できる。そして、Ｘ線画像データの転送では、データ量が多いため、電波干渉の発生により強く影響を受ける傾向がある一方で、通信制御及びアプリケーション制御用のデータは、再送が行われてもよいし、一定程度に低い通信レートを用いてもよい場合が多い。
【００１１】
Ｘ線撮影システムは、Ｘ線の照射を伴うＸ線撮影に特化したシステムであり、不必要な照射は抑制されるべきである。したがって、一度の照射で取得したＸ線画像データは確実かつ高速に制御装置に転送され、Ｘ線画像データの送信が失敗することにより、Ｘ線画像データの再取得が必要となる事態を避けることが要求される。このため、Ｘ線画像データを無線通信により送信する時点において、他のシステムからの干渉を防いでおくべきである。すなわち、無線通信とアプリケーションとの関係を考慮して、無線環境を整えることが重要である。しかしながら、特許文献１に記載の技術では、無線通信とアプリケーションとの関係を考慮した調停制御については、検討されていないという課題があった。
【００１２】
本発明は、上記課題に鑑みなされたものであり、Ｘ線撮影システムが隣接して設置された場合でも、電波干渉のリスクを低減することを目的とする。すなわち、Ｘ線照射によって取得したＸ線画像データを無線通信路を介して確実にかつ高速に転送するための技術を提供することを目的とする。
【課題を解決するための手段】
【００１３】
上記目的を達成するため、本発明による制御装置は、Ｘ線発生手段と、前記Ｘ線発生手段から照射されたＸ線を検出してＸ線画像データを生成し、無線通信により当該Ｘ線画像データを送信するＸ線センサと通信を行う通信手段とを備えるＸ線撮影システムにおける制御装置であって、前記通信手段と前記Ｘ線センサの少なくとも１つにおける、他のＸ線撮影システムの通信手段又はＸ線センサから送信された信号の観測結果に基づいて、当該他のＸ線撮影システムが、前記Ｘ線撮影システムに隣接して配置されているかを判定する判定手段と、隣接して配置されている前記他のＸ線撮影システムが存在する場合、前記Ｘ線発生手段にＸ線を照射させる際に、前記他のＸ線撮影システムのＸ線発生手段からのＸ線の照射を停止させる制御信号を、前記他のＸ線撮影システムの制御装置へ送信する送信手段と、を有する。
【発明の効果】
【００１４】
本発明によれば、無線通信でデータを送信するＸ線撮影システムが隣接して設置された環境において、電波干渉のリスクを低減することができる。
【図面の簡単な説明】
【００１５】
【図１】Ｘ線撮影システムの構成例を示す図。
【図２】Ｘ線撮影システムの配置例を示す図。
【図３】制御装置の機能構成例を示すブロック図。
【図４】隣接システム管理テーブルの一例を示す図。
【図５】有線接続における隣接システム探索方法を示すシーケンス図。
【図６】無線接続における隣接システム探索方法を示すフローチャート。
【図７】隣接システムの判定動作を示すフローチャート。
【図８】ＷＡＩＴ信号の送信動作を示すフローチャート。
【図９】ＷＡＩＴ信号のフォーマットの一例を示す図。
【発明を実施するための形態】
【００１６】
以下、添付図面を参照して本発明の実施の形態を詳細に説明する。
【００１７】
＜＜実施形態１＞＞
（システム構成）
以下の説明では、上述の図２のようなシステムを用いるものとする。すなわち、システムは、あるＸ線撮影システム２０２と、その近傍に存在する他のＸ線撮影システム２０３とを含む。そして、Ｘ線撮影システム２０２は、制御装置２０８、Ｘ線センサ２０４、及びＸ線センサ２０４の相手方の通信装置であるＡＰ２０６を含む。また、他のＸ線撮影システム２０３は、制御装置２０９、Ｘ線センサ２０５、及びＸ線センサ２０５の無線通信の相手方の通信装置であるＡＰ２０７を含む。すなわち、各Ｘ線撮影システムは、図１に示すＸ線撮影システムの構成を有する。また、システムは、サーバ装置２１０を含む。
【００１８】
Ｘ線撮影システム２０２の制御装置２０８、他のＸ線撮影システム２０３の制御装置２０９、及びサーバ装置２１０は、基幹ネットワーク２０１により、有線通信で互いに通信可能に構成される。また、サーバ装置２１０は、例えば、各Ｘ線撮影システムにおいて撮影されたＸ線画像データを集約し、一括管理するためのデータベースとして動作する。
【００１９】
（制御装置の構成）
図３は、本実施形態のＸ線撮影システムの制御装置１０１（すなわち、Ｘ線撮影システム２０２の制御装置２０８、又は他のＸ線撮影システム２０３の制御装置２０９）の機能的構成例を示すブロック図である。制御装置１０１は、キーボードやマウス等の入力装置とディスプレイなどの表示装置とを使用して、例えばユーザ操作に応じて、Ｘ線撮影のアプリケーションを起動する。そして、制御装置１０１は、Ｘ線撮影の準備が整った後に、高圧発生装置１０４を介してＸ線を発生するＸ線発生器１０５を制御して、Ｘ線センサ１０２に対して、Ｘ線を照射させる。その後、Ｘ線センサ１０２からＡＰ１０３経由で送られてきたＸ線画像データをディスプレイに表示し、同時に内部の記憶装置に記憶する処理も行う。
【００２０】
この動作のため、制御装置１０１は、例えば、撮影システム制御部３０１、記憶装置３０２、一時記憶部３０３、操作系制御部３０４、表示系制御部３０５、Ｘ線照射制御部３０６、ＡＰ制御部３０７、ＮＷ制御部３０８、及びタイマ／時計部３０９を有する。なお、ＮＷとはネットワークである。以下、各機能部について、詳細に説明する。
【００２１】
撮影システム制御部３０１は、他の機能部を制御する制御部である。また、制御装置１０１内部の機能部の制御だけでなく、Ｘ線撮影システムにおける一連のＸ線撮影を行う撮影フロー制御を実行する機能を備えていてもよい。記憶装置３０２は、各種のプログラムや各種のデータを記憶する。例えば、撮影システム制御部３０１は、記憶装置３０２に記憶されているプログラムを実行して様々な制御を実行する。また、例えば、Ｘ線撮影によって取得したＸ線画像データもこの記憶装置に記憶される。記憶装置３０２は、例えば、ハードディスクやメモリなどで構成され、電源をオフとした後も、内部に記憶している情報は消去されないものとする。
【００２２】
一時記憶部３０３は、各機能ブロックで使用するパラメータ情報等を一時的に記憶しておく記憶手段であり、例えば、半導体メモリ等で構成される。例えば、図４に関して後述する隣接システム管理テーブルが一時記憶部３０３に記憶される。なお、この管理テーブルは記憶装置３０２に記憶されてもよい。また、管理テーブルを分割し、記憶装置３０２と一時記憶部３０３とのそれぞれに、その分割したデータを保存してもよい。その場合、例えば、後述するＳＳＩＤ欄４０１などの変更される可能性が低いデータは記憶装置３０２へ記憶し、稼働中欄４０７やＣＨ欄４０６などの変更される可能性が高いデータは一時記憶部３０３に記憶するようにしてもよい。
【００２３】
操作系制御部３０４は、ユーザからの情報入力や操作入力を行う入力インターフェースの制御を行う。具体的には、例えば、キーボードやマウスのような入力機器と接続し、その入力機器を使用したユーザからの操作を検知し、その操作に応じた命令を取得する。操作系制御部３０４は、例えば、各種の操作入力機器と接続可能なＵＳＢやＰＳ／２等のインターフェース機能を装備する。表示系制御部３０５は、ユーザに対して可視表示を行うディスプレイとのインターフェースを制御する機能ブロックである。表示系制御部３０５は、ユーザからの情報入力や操作など、あるいは実行しているアプリケーションの実行状況を可視的にディスプレイに表示する。
【００２４】
Ｘ線照射制御部３０６は、Ｘ線撮影を実行するためにＸ線発生器１０５からＸ線を照射させる制御を行う。Ｘ線照射制御部３０６は、例えば、高圧発生装置１０４と接続し、この高圧発生装置１０４を制御してＸ線発生器１０５からＸ線を照射させる。ＡＰ制御部３０７は、ＡＰ１０３を制御する。例えば、Ｘ線センサ１０２からＸ線画像データを取得するためには、ＡＰ１０３とＸ線センサ１０２との間の無線接続を確立させておくことが要求される。ＡＰ制御部３０７は、無線接続の確立のために必要となる、無線ＬＡＮの通信パラメータ等をＡＰ１０３に対して設定する。通信パラメータは、例えば、使用する無線ＬＡＮの規格や使用する無線チャネルを含む。
【００２５】
ＮＷ制御部３０８は、基幹となるネットワークとの接続を制御する。図２のように、複数のＸ線撮影システムが設置された場合は、制御装置２０８及び２０９がそれぞれのＮＷ制御部３０８を介して基幹ネットワークに接続することにより、これらのＸ線撮影システムが互いに通信可能となる。また、図２のように、制御装置２０８及び２０９は、ＮＷ制御部３０８を介して基幹ネットワークに接続し、例えば、データベースとして機能するサーバ装置２１０とも通信を行う。また、サーバ装置２１０や制御装置２０８及び２０９以外のネットワーク装置が、基幹ネットワークに接続されてもよい。
【００２６】
タイマ／時計部３０９は、日時や時刻を示す時計機能とある一定期間を計測可能なタイマとを含み、例えば、撮影システム制御部３０１の指示に応じて必要な日時、時刻、タイマなどの情報を提供する。
【００２７】
なお、上述の説明では、Ｘ線照射制御部３０６、ＡＰ制御部３０７、及びＮＷ制御部３０８を個別の機能ブロックとして説明したが、制御装置１０１は、これらの機能をすべて備える１つの制御部を含んでもよい。また、外部とのインターフェースにはイーサネット（登録商標）のような汎用ネットワークを使用してもよく、そして、高圧発生装置１０４、ＡＰ１０３、及び基幹ネットワークへは、ＨＵＢ等を使用して接続されてもよい。
【００２８】
（制御装置の動作）
本実施形態にかかるＸ線撮影システム２０２の制御装置２０８は、隣接して存在する他のＸ線撮影システム２０３の存在を検知し、検知した他のＸ線撮影システムについて、図４のような形式の管理テーブルを作成する。そして、制御装置２０８は、管理テーブルに従って、Ｘ線撮影を行う際に、他のＸ線撮影システムがＸ線撮影を行わないように指示する制御信号を送信することにより、自システムで撮影したＸ線画像データを送信する無線通信への干渉を抑制するようにする。以下、まず管理テーブルについて説明した後に、管理テーブルの作成手順と、Ｘ線撮影手順とを説明する。
【００２９】
（隣接システム管理テーブル）
図４に、制御装置２０８及び２０９のそれぞれの内部で保持される隣接システム管理テーブルを示す。制御装置２０８及び２０９は、後述する図５のＳ５０３の情報交換や図６のＳ６０３の情報収集によって隣接システムを検出し、そこで得られる情報に基づいて管理テーブルを作成及び更新し、保持する。そして、制御装置２０８及び２０９は、この管理テーブルを利用して、自システム及び隣接システムにおけるＸ線撮影の実行、すなわちＸ線の照射の実行を制御する。なお、管理テーブルにはその管理テーブルを保持する制御装置自身が含まれるシステムの状態も記録され、この管理テーブルは別のＸ線撮影システム内の制御装置にも公開される。
【００３０】
管理テーブルのうち、ＳＳＩＤ欄４０１は、各Ｘ線撮影システムを識別し、そのＸ線撮影システムに収容されているＡＰのＳＳＩＤを示す情報である。ここで、ＳＳＩＤとは無線ＬＡＮ規格に使用されるＡＰの識別子であり、ＡＰが形成する無線ネットワークを識別する情報である。なお、本システムでは、上述のように、Ｘ線撮影システムを識別するためにＳＳＩＤを用いてもよい。有線探索欄４０２は、基幹ネットワーク（有線接続）を介してＸ線撮影システムを検出したかどうかを示す情報である。有線接続を介して検知されたシステムについては、値として「○」が保持され、そうでない場合は「×」が保持される。無線探索欄４０３は、無線通信を介してＸ線撮影システムを検出したかを示している。無線通信を介して検知されたシステムについては、値として「○」が保持され、そうでない場合は「×」が保持される。なお、４０２と４０３の情報は、「○」と「×」に代えて、例えば「１」と「０」などによって表されてもよい。
【００３１】
使用帯域幅欄４０４は、各Ｘ線撮影システムの無線通信で使用している無線チャネルの帯域幅を示している。例えば、ＩＥＥＥ８０２．１１ｎにおける拡張帯域の４０ＭＨｚ帯域を使用している場合は「４０ＭＨｚ」となり、そうでない場合は「２０ＭＨｚ」となる。２０ＭＨｚの帯域幅は、ＩＥＥＥ８０２．１１ａ／ｂ／ｇ／ｎそれぞれの規格で規定されている帯域幅である。使用周波数帯域欄４０５は、隣接システムで無線通信に使用している無線チャネルの周波数帯域を示している。例えば、ＩＥＥＥ８０２．１１ａ／ｎに規定される周波数帯域となる５ＧＨｚの周波数帯域を使用している場合は「５ＧＨｚ」となり、そうでない場合は「２．４ＧＨｚ」となる。なお、２．４ＧＨｚの周波数帯域は、ＩＥＥＥ８０２．１１ｂ／ｇ／ｎそれぞれの規格で規定される周波数帯域である。
【００３２】
ＣＨ欄４０６は、隣接システムで無線通信に使用しているチャネル番号を示している。ＩＥＥＥ８０２．１１ａ／ｎに規定される５ＧＨｚの周波数帯域の無線チャネルを使用している場合は例えば「３６ｃｈ」となり、そうでない場合は例えば「１ｃｈ」や「７ｃｈ」となる。１ｃｈや７ｃｈなどは、ＩＥＥＥ８０２．１１ｂ／ｇ／ｎそれぞれの規格で規定される２．４ＧＨｚの周波数帯域の無線チャネルである。
【００３３】
稼働中欄４０７はＸ線撮影システムが現在稼働中であるかどうかを示している。システムが稼働中であれば、例えば、値として「○」を保持し、そうでない場合は「×」を保持する。通常、Ｘ線撮影システムは稼働中でなければ隣接システムとして検出されないため、隣接システムとして検出されたＸ線撮影システムについては通常「○」が保持される。しかし、後になんらかの理由で、Ｘ線撮影ができなくなった場合などは、ＳＳＩＤ＝ＥＦＧＨの行のように、値「×」が保持される場合もある。
【００３４】
調査日時欄４０８は、図５又は図６の探索方法にしたがって、隣接システムを検索した日時の情報を示している。繰り返し調査が行われると、その都度、最後に検索を実行した日時が記録される。隣接欄４０９は、ＳＳＩＤ欄４０１から調査日時欄４０８の情報に基づいて、無線ＬＡＮ環境において隣接するＸ線撮影システムを抽出した結果を示している。すなわち、管理テーブルを保持するＸ線撮影システムとの間で、互いに干渉し得るＸ線撮影システムと判定されたか否かが隣接欄４０９に示される。この判定手順については後述する。無線ＬＡＮ環境において隣接するＸ線撮影システムであると判定された場合は、例えば、値「○」が保持され、そうでない場合は「×」が保持される。ここでＳＳＩＤ＝ＡＢＣＤの行は、自システムの状況を示したものであり、例えば、空欄（「−」）とされる。
【００３５】
（隣接システム管理テーブルの作成手順）
続いて、図４に示した隣接システム管理テーブルの作成手順について説明する。隣接システム管理テーブルは、有線接続と無線接続との両面からの他のＸ線撮影システムの探索を通じて作成され、更新される。まず、有線接続を用いた他のＸ線撮影システムの探索方法について、図５を参照して説明する。なお、以下説明する動作は、図２の基幹ネットワーク２０１に接続する、Ｘ線撮影システム２０２の制御装置２０８と他のＸ線撮影システム２０３の制御装置２０９が各々実行するものである。そして、図４に示す隣接システム管理テーブルは、これらの制御装置２０８及び２０９の各々により保持される。
【００３６】
図５は、あるＸ線撮影システム２０２の制御装置２０８が、他のＸ線撮影システム２０３の制御装置２０９を探索する動作を示すシーケンス図である。まず、制御装置２０８は、基幹ネットワーク２０１に接続している各種ネットワーク機器に対して、特定のポート番号を使用して、探索用の通信パケットをブロードキャストする（Ｓ５０１）。基幹ネットワーク２０１に接続している制御装置２０９は、起動状態であれば、その通信パケットを受信する。そして、ポート番号等を解析して、その通信パケットが制御装置２０８から送信された、他のＸ線撮影システムの制御装置を探索する通信パケットであることを特定する。
【００３７】
そして、制御装置２０９は、その通信パケットの送信元である制御装置２０８に対して応答用の通信パケットを送信する（Ｓ５０２）。なお、サーバ装置２１０のような、制御装置ではないネットワーク機器も、起動状態にあれば通信パケットを受信する。しかし、その通信パケットを受信してポート番号等を解析しても、それがどのような意味を持つかを認識することができない。そのため、通信パケットの送信元である制御装置２０８に対して応答用の通信パケットを送信することはない。
【００３８】
制御装置２０８は、制御装置２０９から送信された応答用の通信パケットを受信すると、制御装置２０９と相互にユニキャストにより情報交換を行う（Ｓ５０３）。この情報交換により、制御装置２０８及び２０９は、他方の制御装置が基幹ネットワーク上に接続すると共に起動状態にあることを、相互に認識することが可能となる。そして、この情報交換により、例えば、それぞれの制御装置２０８及び２０９の内部に記憶されている、隣接システム管理テーブルに含まれる各情報（無線通信におけるＳＳＩＤ、使用帯域幅、使用周波数帯域、チャネル番号）を含む情報が交換される。
【００３９】
ここで、調査日時欄４０８の日時から、所定時間以上の時間が経過した場合は、隣接システム管理テーブルの更新を行うようにしてもよい。この場合、例えば、制御装置２０８は、ユーザに通知して更新操作を実行するように促してもよく、また、自発的にで探索パケットを送信する（Ｓ５０１）ことにより、更新を自動的に実行するようにしてもよい。  続いて、無線接続を用いた他のＸ線撮影システムの探索方法について、図６を参照しながら説明する。図６は、Ｘ線撮影システムに無線ＬＡＮ環境として隣接すると考えられる、すなわち、Ｘ線撮影システムの無線通信に干渉を及ぼし得ると考えられる、他のＸ線撮影システムを検出する動作を示すフローチャートである。本フローは、いずれかのＸ線撮影システムの制御装置２０８又は２０９が起動状態であることによって開始される。以下の説明では、制御装置２０８が本フローを実行するものとして説明する。
【００４０】
処理が開始されると、起動状態にある制御装置２０８において、隣接するシステムの探索処理を開始したかどうかを判定する（Ｓ６０１）。すなわち、例えばユーザの操作によって、無線ＬＡＮ環境として隣接しているＸ線撮影システムの探索を実行する指示があったか否かを判定する。探索実行の指示があった場合（Ｓ６０１でＹｅｓ）、処理はＳ６０２へ進み、指示がなかった場合（Ｓ６０１でＮｏ）、指示の待ち受け状態を継続する。
【００４１】
なお、ユーザの操作によらず、自動で探索が実行される場合は、その探索を実行するトリガとなる指示があったかによって、Ｓ６０１の判定を行ってもよい。例えば、過去に行った探索のうち最新の探索を実行した日時から現在まで、所定時間以上の時間が経過していた場合、自動で探索を実行するようにしてもよい。そして、この場合、制御装置２０８が、所定時間以上の時間が経過したことを契機に上述のトリガとなる指示を生成してもよい。また、制御装置２０８は、所定時間以上の時間が経過したことを契機に、表示装置１０６にその旨を表示し、再度の探索を実行を実行するためのユーザの操作を促してもよい。
【００４２】
Ｓ６０２では、システム内に収容しているＡＰに受信した無線電波を解析させ、その解析結果を取得する。制御装置は、解析によって取得した情報の一部または全部を図４に示す隣接システム管理テーブルに記録する。そして処理を終了する。
【００４３】
Ｓ６０２の処理は例えば、以下のように実行される。まず、制御装置２０８は、Ｘ線画像データの無線転送に使用する無線チャネルで、ＡＰ２０６に電波を受信させ、電波環境の測定を行わせる。例えば、ＡＰ２０６は、外来の電波ノイズ、他のＸ線撮影システム２０３からの電波、及びＸ線撮影システムで用いられる以外の無線ＬＡＮシステムからの電波を測定する。なお、他のＸ線撮影システム２０３からの電波には、ＡＰ２０７から送信された電波と、ＳＴＡであるＸ線センサ２０５から送信された電波との両方を含む。測定結果は制御装置２０８へ送信され、制御装置２０８は、この測定結果に基づいて得られた情報を隣接システム管理テーブルに記録する。すなわち、例えば、あるＸ線撮影システムのＡＰ又はＸ線センサからの無線信号を所定の電力以上のレベルで受信した場合は、そのシステムに対応する無線探索欄４０３に「○」を記録する。また、有線通信を介して情報を取得できなかった場合は、例えばＳＳＩＤ欄４０１や、使用帯域幅欄４０４、使用周波数帯域欄４０５などの情報を、受信した無線信号に基づいて作成し記録する。これにより、制御装置２０８は、ＡＰ２０６に対して干渉する他のＸ線撮影システムからの無線信号があるかを、テーブルを参照するだけで容易に把握することが可能となる。
【００４４】
さらに、制御装置２０８は、ＡＰ２０６と接続するＳＴＡであるＸ線センサ２０４にもＸ線撮影時にＸ線画像データの無線転送に使用する無線チャネルで電波を受信させ、電波環境の測定を行わせる。Ｘ線センサ２０４は、ＡＰ２０６と同様に、外来の電波ノイズ、他のＸ線撮影システム２０３からの電波、及びＸ線撮影システムで用いられる以外の無線ＬＡＮシステムからの電波を測定する。なお、他のＸ線撮影システム２０３から送信される電波は、ＡＰ２０７から送信された電波と、ＳＴＡであるＸ線センサ２０５から送信された電波との両方を含む。Ｘ線センサ２０４によって測定結果は、ＡＰ２０６を経由して制御装置２０８へ送られる。そして、制御装置２０８は、この測定結果に基づいて得られた情報を管理テーブルに記録する。このように、Ｘ線センサ２０４にも環境測定を実行させることにより、ＡＰ２０６では検出できなかったＸ線撮影システムであって、周辺に存在する（隣接して配置されている）蓋然性が高いシステムを高精度に検出することが可能となる。
【００４５】
なお、Ｓ６０２の処理では、制御装置２０８は、ＡＰ２０６及びＡＰ２０６に接続するＳＴＡであるＸ線センサ２０４に、すべての無線チャネルあるいは使用可能な無線周波数帯で電波を受信させ、電波環境の測定を実行させてもよい。
【００４６】
続いて、制御装置２０８は、隣接システム管理テーブルの隣接欄４０９に記録する値を決定する。この決定方法について、図７のフローチャートを参照しながら説明する。本フローは、例えば、Ｘ線撮影システム２０２と他のＸ線撮影システム２０３が稼働状態にあり、Ｘ線撮影システム２０２がＸ線撮影を実行する準備が整っている状態で開始される。
【００４７】
処理が開始されると、制御装置２０８において、無線ＬＡＮ環境として隣接して配置されているＸ線撮影システムがあるかを判定するアプリケーションの起動指示があったかどうかを判定する（Ｓ７０１）。そして、ユーザの操作によって、そのアプリケーションが開始されたと判定された場合（Ｓ７０１でＹｅｓ）は、処理をＳ７０２へ移し、そうでなければ（Ｓ７０１でＮｏ）、現在の状態を維持する。
【００４８】
Ｓ７０２では、他のＸ線撮影システムについて有線通信と無線通信とを用いて情報収集した結果が記録されている隣接システム管理テーブル（図４）を参照する。そして、Ｓ７０２で参照した隣接システム管理テーブルにおいて、現在使用中の無線チャネルで電波を受信した他のＸ線撮影システムが存在するかを判定する（Ｓ７０３）。そして、現在使用中の無線チャネルで電波を受信した他のＸ線撮影システムが存在する場合（Ｓ７０３でＹｅｓ）は、処理はＳ７０４へ移行する。一方、現在使用中の無線チャネルで電波を受信した他のＸ線撮影システムが存在しない場合（Ｓ７０３でＮｏ）は、無線ＬＡＮ環境として隣接するＸ線撮影システムがないため、そのシステムは隣接して配置されていないと判定される（Ｓ７０８）。なお、Ｓ７０８では、検出されたシステムについて、図４の隣接システム管理テーブル中の隣接欄４０９は「×」として記録される。
【００４９】
Ｓ７０４では、Ｓ７０２で参照した隣接システム管理テーブルにおいて、無線ＬＡＮ規格を使用した無線電波を受信したことが記録されているかを判定する（Ｓ７０４）。この判定は、例えば、使用帯域幅欄４０４、使用周波数帯域欄４０５及びＣＨ欄４０６に格納されている情報が、各種無線ＬＡＮに対応する情報であるかを判定することにより実行される。例えば、使用周波数帯域欄４０５に記録されている情報が、２．４ＧＨｚでも５ＧＨｚでもない場合は、無線ＬＡＮ規格の信号ではないと判定される。無線ＬＡＮ規格を使用した電波を受信したことが記録されている場合（Ｓ７０４でＹｅｓ）、処理はＳ７０５へ移行する。一方、無線ＬＡＮ規格を使用した電波を受信したことが記録されていない場合（Ｓ７０４でＮｏ）、干渉の発生源となり得る隣接する他のＸ線撮影システムは存在しないと考えられるため、そのシステムは隣接して配置されていないと判定される（Ｓ７０８）。
【００５０】
Ｓ７０５では、Ｓ７０３及びＳ７０４で受信したと判定された電波が、自システムのＡＰにアソシエーションしている端末（ＳＴＡ）からの無線電波であったかを判定する（Ｓ７０５）。Ｓ７０３及びＳ７０４で受信したと判定された電波が自システムに属するＳＴＡからの無線電波であった場合（Ｓ７０５でＹｅｓ）は、Ｓ７０３及びＳ７０４で受信したと判定した電波は自システム内で発生した電波と考えられる。このため、隣接する「他の」Ｘ線撮影システムは存在しないと考えられるため、そのシステムは隣接して配置されていないと判定される（Ｓ７０８）。一方、それ以外の場合は、処理をＳ７０６へ移す。
【００５１】
Ｓ７０６では、隣接するＸ線撮影システムからの無線電波を受信したかを判定する。すなわち、Ｘ線撮影システム以外からの電波が受信された場合（Ｓ７０７でＮｏ）、その電波の発生源のシステムは本実施形態にかかる制御の対象外であるため、そのシステムは隣接して配置されていないと判定される（Ｓ７０８）。受信した電波がＸ線撮影システムからのものであった場合（Ｓ７０７でＹｅｓ）、無線ＬＡＮ環境として隣接して配置されたＸ線撮影システムが現時点で存在すると判断する（Ｓ７０７）。そして、検出されたＸ線撮影システムについて、図４の隣接システム管理テーブル中の隣接欄４０９を「○」として記録する。
【００５２】
隣接欄４０９の判定方法は、上述の方法に限られない。例えば、以下のように判定されてもよい。まず、図４の有線探索欄４０２が「○」であり、無線探索欄４０３が「×」と記録されている場合、これらに関する調査日時欄４０８に記録された日時と現在の日時情報をタイマ／時計部３０９から取得して比較する。そして、所定の期間以内の差であれば、無線ＬＡＮ環境として隣接して配置されているＸ線撮影システムはないと判定する。つまり、隣接欄４０９を「×」として記録する。一方、所定の期間より大きい差がある場合、再度無線ＬＡＮ環境として隣接して配置されているかを、ＡＰ及びＸ線センサに電波を測定させて、その測定結果から判定してもよい。そして、測定結果により、無線ＬＡＮ環境において隣接して配置されていると判定された場合は、隣接欄４０９を「○」としてもよい。
【００５３】
なお、本方法は、上述のステップを全て含まなくてもよい。例えば、図６で説明した無線接続による隣接システム探索の時点で、無線ＬＡＮ以外の形式の信号については、テーブルに記録しないようにすることにより、Ｓ７０４の判定を省略することが可能となる。
【００５４】
（Ｘ線撮影手順）
図８は、他のＸ線撮影システムとの間で、Ｘ線画像データ転送時に電波干渉等の障害発生を防ぐＸ線撮影手順を示すフローチャートである。以下の説明では、Ｘ線撮影システム２０２及び２０３が稼働状態にあり、２０２のＸ線撮影システムがＸ線撮影を実行する準備が整っているものとする。
【００５５】
処理が開始されると、まず、制御装置２０８にＸ線撮影アプリケーションの起動指示があったかどうかを判定する（Ｓ８０１）。例えば、ユーザの操作によってＸ線撮影アプリケーションが開始された場合（Ｓ８０１でＹｅｓ）、処理はＳ８０２へ移行し、そうでなければ（Ｓ８０１でＮｏ）、現在の状態を維持する。Ｓ８０２では、無線ＬＡＮ環境として隣接するＸ線撮影システムが現在稼働中かどうかを確認する。例えば、図４に示す隣接システム管理テーブルを参照し、稼働中欄４０７が「○」であるか「×」であるかを確認する。
【００５６】
続いて、Ｘ線撮影においてＸ線を照射する準備が整ったかどうか、すなわち、いつでも照射を実行可能な状態であるかを判定する（Ｓ８０３）。Ｘ線を照射可能な状態と判定された場合（Ｓ８０３でＹｅｓ）は、処理はＳ８０４へ移行し、そうでなければ（Ｓ８０３でＮｏ）、現在の状態を維持する。なおＳ８０３の判定は、Ｘ線撮影用のアプリケーションが起動している状態（Ｓ８０１でＹｅｓの状態）となった上で、例えば、後は照射スイッチを押すだけでＸ線の照射可能となる状態となったかどうかを判定する。すなわち、例えば、Ｘ線撮影のための設定入力が終了し、Ｘ線発生装置とＸ線センサとの位置合わせ等の前準備がすべて完了した状態である場合に、Ｓ８０３の判定は「Ｙｅｓ」となる。
【００５７】
Ｓ８０４では、Ｓ８０２における確認結果に基づいて、無線ＬＡＮ環境として隣接するＸ線撮影システムが、現在稼働中であるかを判定する。無線ＬＡＮ環境として隣接するＸ線撮影システムが現在稼働中の場合（Ｓ８０４でＹｅｓ）、処理はＳ８０５へ移行し、そうでなければ（Ｓ８０４でＮｏ）、処理はＳ８０８へ移行する。
【００５８】
Ｓ８０５では、他のＸ線撮影システムからＸ線の照射を一時的に停止すべき旨の制御信号である「ＷＡＩＴ信号」を受信したかどうかを判定する。例えば、図２において、制御装置２０８は、制御装置２０９から基幹ネットワーク２０１経由でＷＡＩＴ信号を受信したかを判定する。ＷＡＩＴ信号を受信した場合（Ｓ８０５でＹｅｓ）は、処理はＳ８０６へ移行し、そうでなければ（Ｓ８０５でＮｏ）、処理はＳ８０７へ移行する。なお、Ｓ８０５の判定では、受信したＷＡＩＴ信号の内容に基づいて、処理を移行させるべき先を決定してもよい。例えば、自システムでは、２．４ＧＨｚ帯域の無線通信を行っている状況において、５ＧＨｚ帯域の送信を停止すべき旨を示すＷＡＩＴ信号を受信した場合は、制御装置２０８は、処理をＳ８０６へ移行させずに、Ｓ８０７へ移行させてもよい。同様に、自システムで使用している無線チャネル番号と異なるチャネル番号について信号の送信を停止すべき旨を示すＷＡＩＴ信号を受信した場合は、制御装置２０８は、処理をＳ８０７へ移行させてもよい。また、ＷＡＩＴ信号に含まれるチャネル番号と自システムで使用するチャネル番号とが異なっていても、例えば１ｃｈと２ｃｈなどのように、干渉を及ぼしあう関係にある場合は、制御装置２０８は、処理をＳ８０６へ移行させてもよい。このように、互いに干渉を及ぼしあう関係にあるシステムからＷＡＩＴ信号が届いた場合は、処理はＳ８０６へ移行し、それ以外の場合は、処理をＳ８０７へ移行させるようにしてもよい。
【００５９】
Ｓ８０６では、ＷＡＩＴ信号の送信元である他のＸ線撮影システムからＸ線の照射を行ってもよい旨を示す制御信号である「ＷＡＩＴ解除信号」を受信したかどうかを判定する（Ｓ８０６）。例えば、制御装置２０８が、制御装置２０９から基幹ネットワーク２０１経由でＷＡＩＴ解除信号を受信した場合は処理をＳ８０７へ移行させ、そうでなければ現在の状態を維持する。Ｓ８０７では、他のＸ線撮影システムに対してＸ線の照射を一時的に停止するためのＷＡＩＴ信号を送信する。Ｓ８０７の状態は、Ｓ８０５において判定されたように、無線ＬＡＮ環境として隣接する、他のＸ線撮影システムが現在稼働中の状態である。このため、Ｘ線の照射を行ってＸ線撮影を実行した場合には、撮影によって取得したＸ線画像データを送信する際に、他のＸ線撮影システムからの電波干渉等の障害を引き起こす可能性がある。したがって、その電波干渉等の障害を防止することを目的として、制御装置２０８は、他のＸ線撮影システムによる照射を停止するため、Ｘ線撮影のＷＡＩＴ信号を他のＸ線撮影システムの制御装置へ送信する。
【００６０】
このとき、送信相手のＸ線撮影システムの制御装置とは、図４に示す隣接システム管理テーブルの隣接欄４０９が「○」となっているシステムの制御装置である。制御装置２０８は、基幹ネットワークを使用して、例えば図５の探索シーケンスで取得されたアドレス情報に基づいて送信相手を特定した上で、ＷＡＩＴ信号を送信する。このとき、例えば、図４のＳＳＩＤ欄４０１が空白で、かつ無線探索欄４０３から調査日時欄４０８の情報から、隣接している可能性が高いと判断できる場合は、送信相手が特定できないのでブロードキャストにより、ＷＡＩＴ信号を送信してもよい。
【００６１】
Ｓ８０８では、実際にＸ線の撮影を実行する。例えば、Ｘ線撮影システム２０２において、Ｘ線を照射してＸ線センサ２０４でＸ線を受信してＸ線画像データを生成し、ＡＰ２０６を経由して制御装置２０８へ送信する。Ｘ線の撮影を実施した後で、制御装置２０８は、Ｘ線画像データの受信が完了したかを判定する（Ｓ８０９）。例えば、Ｘ線センサ２０４から無線ＬＡＮを用いてＡＰ２０６に送信され、その後、制御装置２０８ですべてのＸ線画像データの受信が完了したかを判定する。Ｘ線画像データの受信が完了した場合（Ｓ８０９でＹｅｓ）、処理はＳ８１０へ移行し、そうでなければ（Ｓ８０９でＮｏ）、現在の状態を維持する。
【００６２】
Ｓ８１０では、Ｓ８０８でＷＡＩＴ信号を送信したかを判定する。すなわち、他のＸ線撮影システムが、Ｓ８０６のＷＡＩＴ解除信号の受信待ちとなっているかを判定する。Ｘ線の照射を実施する直前（Ｓ８０７）において、ＷＡＩＴ信号を送信した場合（Ｓ８１０でＹｅｓ）は、処理はＳ８１１へ移行し、そうでなければ（Ｓ８１０でＮｏ）、本処理を終了する。Ｓ８１１では、他のＸ線撮影システムに対してＸ線の照射停止を解除するための制御信号である「ＷＡＩＴ解除信号」を送信する。すなわち、自システム２０２におけるＸ線撮影が終了したため、Ｓ８０７で送信したＷＡＩＴ信号を解除するため、当該ＷＡＩＴ信号を送信した相手に対して、ＷＡＩＴ解除信号を送信する。これにより、他のＸ線撮影システムは、Ｘ線撮影を行うことが可能となる。
【００６３】
このような処理により、Ｘ線を照射する前の段階において、他のＸ線撮影システムによるＸ線の照射とそれに伴う無線通信を停止させることが可能となる。したがって、自システムにおいて、無線通信で画像データを送受信する際に干渉が発生することを防止することができる。また、ＷＡＩＴ信号の送受信により、他のシステムに干渉を与えることを防ぐことも可能となる。すなわち、システム全体として、無線通信の失敗による過剰なＸ線の照射を防ぐことが可能となる。
【００６４】
なお、上述の通り、ＷＡＩＴ信号には、送信元のシステムにおける無線通信に関する周波数帯域の情報やチャネル番号の情報が含まれてもよい。図９に、そのフレームの構成例を示す。なお、図９では、特徴となる部分のみを記載しており、詳細部分については省略している。
【００６５】
１００１は、ＷＡＩＴ信号全体を示しており、大きくはヘッダ部とペイロード部に分けられる。ヘッダ部には送信相手のアドレス等が記載され、ヘッダ部に含められる値に応じて複数のＸ線撮影システムへ信号を送信するブロードキャスト送信と、単数のＸ線撮影システムへ信号を送信するユニキャスト送信とを切り替えることができる。ペイロード部には、禁止周波数帯域の情報１００２と禁止無線チャネル番号の情報１００３とが含まれる。
【００６６】
禁止周波数帯域の情報１００２及び禁止無線チャネル番号の情報１００３は、Ｘ線の照射を停止すべきＸ線撮影システムを特定するための条件となる、周波数帯域やチャネル番号の情報である。すなわち、禁止周波数帯域の情報１００２は、隣接するＸ線撮影システムに対してＸ線画像データの送信を一時的に停止すべき周波数帯域を示す。例えば、無線ＬＡＮ規格に従って、２．４ＧＨｚ帯域か５ＧＨｚ帯域かのどちらかの情報が含まれる。
【００６７】
そして、禁止無線チャネル番号の情報１００３は、隣接するＸ線撮影システムに対してＸ線画像データの送信を一時的に停止すべき無線チャネルのチャネル番号を示す。例えば、無線ＬＡＮ規格に規定のチャネル情報が含まれる。なお、禁止無線チャネル番号の情報１００３は、ＷＡＩＴ信号の送信元のシステムに干渉を及ぼし得るチャネルの範囲の情報であってもよい。
【００６８】
このような情報をＷＡＩＴ信号に含めることにより、不必要にＸ線撮影を制限することを防ぐことができる。すなわち、あるＸ線撮影システムが５ＧＨｚ帯で画像データを送受信するのに対して、他のＸ線撮影システムが２．４ＧＨｚ帯で画像データを送受信する場合、これらのシステムは互いに干渉しないため、不必要にＸ線撮影を停止しない。これにより、不必要に撮影が長時間化することを防ぐことも可能となる。
【００６９】
＜＜その他の実施形態＞＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2013192653.tif 000003
【図２】
2013192653.tif 000004
【図３】
2013192653.tif 000005
【図４】
2013192653.tif 000006
【図５】
2013192653.tif 000007
【図６】
2013192653.tif 000008
【図７】
2013192653.tif 000009
【図８】
2013192653.tif 000010
【図９】
2013192653.tif 000011